(57)【特許請求の範囲】
【請求項１】
上下の接続部（１０、１１）とこの上下両接続部を相互に結合する中間部（１２、１３）とに区分され、それぞれ大地電位側及び高圧電位側に回転対称の金属製の接続具を備え、かつ中間部に少なくとも１つの空洞を備えた一体形成の注型樹脂体からなり、上部及び下部の接続面を備え、高圧開閉装置の高圧電位にある部分を大地電位にある支持部材に対して支持するための高圧開閉装置の絶縁体において、
前記注型樹脂体（２）が丸みを備えた直方体状の輪郭を持ち、前記中間部（１２、１３）が両側側面に配置された壁部分（１２、１３）として形成され、前記両接続具（３、４）が電極（２５、２６）として形成されて前記両接続部にそれぞれ、前記両接続具の互いに向き合う部分がそれぞれ注型樹脂で覆われるように埋め込まれ、前記両接続具が平らに形成された上部接続面（２３）乃至下部接続面（２４）を形成していることを特徴とする高圧開閉装置の絶縁体。
【請求項２】
前記両壁部分（１２、１３）が外側に膨出して、前記の丸みを備えた直方体状の輪郭を形成することを特徴とする請求項１に記載の絶縁体。
【請求項３】
前記注型樹脂体が前記両壁部分（１２、１３）に外側及び内側のリブ（１６、１７）を備えていることを特徴とする請求項１又は２に記載の絶縁体。
【請求項４】
前記注型樹脂体が前記両壁部分（１９、２０）に前記接続面に平行して延びる中間壁（８）を備えていることを特徴とする請求項１又は２に記載の絶縁体。
【請求項５】
前記注型樹脂体が前記両壁部分（２１）に窓状の貫通孔（２２）を備えていることを特徴とする請求項１又は２に記載の絶縁体。
【請求項６】
前記電極（２５、２６）が平らな円蓋の形状を持っていることを特徴とする請求項１乃至５の１つに記載の絶縁体。
【発明の詳細な説明】
【０００１】
【発明の属する技術分野】
この発明は、電気開閉装置の分野において、高圧電位にある部分を大地電位にある支持部材に対して支持するために、注型樹脂からなり両接続具の間の範囲に注型樹脂で満たされていない範囲を持っている絶縁体を備えている高圧開閉装置において適用される。
【０００２】
【従来の技術】
公知の圧縮ガス絶縁高圧開閉装置においては、摺動形断路器の開閉棒を駆動するために、一方の端面で金属容器を支持し、他方の端面で歯車を備えた軸を開閉棒の駆動のために支持している、絶縁軸と呼ばれる円筒状の絶縁体が設けられている。この絶縁体はその場合沿面距離を延長するためにリブを備えている（ドイツ特許出願公開第１５４０５１３号明細書参照）。
【０００３】
他の公知の圧縮ガス絶縁金属容器密閉形高圧開閉装置においては、断路器を駆動するために、中空の注型樹脂体からなり、大地側及び高圧電位側に回転対称の接続具を備えている絶縁体が設けられている。この注型樹脂体は２つのキャップ状の部分から構成され、このキャップ状の各部分は直径の異なる２つの部分を持ち、直径の小さい方の部分が直径の大きい方の部分に嵌め込まれている。この構成は、軸方向長さが短いにも拘わらず沿面距離の長さが大きく、また絶縁物内の絶縁破壊距離が特に長い。さらに、中空状の構成はまた材料の節約にも繋がる（ドイツ特許第２１４２１１９号明細書参照）。
【０００４】
さらに、密閉形高圧開閉装置において高圧電位にある導体を支持するために、接続面の範囲に導電層を備えた空所を持ち、この中に導体を固定するためのボルトを納める金属製短軸がある柱状の絶縁体が公知である。この金属製短軸と導電層との配置は、その場合、絶縁体が導体に接続される位置の近くにある臨界範囲における電圧勾配を下げるように働いている（スイス特許第５１２８１０号明細書参照、図２）。
【０００５】
ケーブルの端部並びに開閉器のような電気機器の端部のための固定手段の支持体として、さらに、特にポリアミドのような熱可塑性プラスチックから作られ、構造的に間隔をもって互いに嵌め合わされた２つの管よりなり、これらの管が半径方向の縦片と横壁とにより結合されている支持絶縁体が公知である。内側の管の端部にはその場合金属製のねじ山部が埋め込まれ、これにより基礎に支持体を固定し、金具や機器を取り付けている。このような支持体の高さはその都度印加される電圧に左右される。このような支持絶縁体はそれ故上部及び下部の接続部を備え、２つの管の端部及び縦部片が１つの接続面を形成するとともに、外側の管の内部に軸方向に延びる３つの空洞を持っている（東ドイツ特許第６８５４６号明細書参照）。
【０００６】
注型樹脂よりなる他の公知の支持絶縁体においては、頭部端及び足部端に埋め込まれた、接続具の支承体が球状の頭部を備えた円筒状の短軸として構成されている。これらの２つの支承体の少なくとも１つは、支持絶縁体の破壊強度を改善するために、内側にずれて絶縁体内に配置されている（ドイツ実用新案第１７５５４５６号明細書参照）。
【０００７】
【発明が解決しようとする課題】
この発明の課題は、特許請求の範囲の請求項１の前文の構成要件を備えた絶縁体（ドイツ実用新案第１７５５４５６号明細書参照）を基にして、絶縁体の構造を、高さが低いにも拘わらず、できるだけ高い絶縁耐力を持つように改良することにある。
【０００８】
【課題を解決するための手段】
この課題を解決するために、この発明によれば、注型樹脂体が丸みを備えた直方体状の輪郭を持ち、中間部が側面側に配置された２つの壁部分からなり、両接続具が大面積の電極として形成されて両接続部に埋め込まれ、両接続具が平にそれぞれ形成された上部及び下部の接続面を形成する。
【０００９】
このように形成された絶縁体は、高さが低いにも係わらず、絶縁耐力が大きく、材料の消費が少なくかつその製作が簡単であるという特長を持っている。特に平らな円蓋の形を持つ大面積の電極により電極表面における高い電圧勾配が回避される。側面側に配置された２つの壁部分を持つ中間部の構成により両電極の間の範囲に、注型樹脂−ガス−注型樹脂−誘電体、従って最も狭い電極間隔の範囲に注型樹脂を誘電負荷から軽減するガス空間が作られる。このためにこの壁部分は特に外側に膨出しているのがよい。注型樹脂体はまたガス空間の範囲に例えば清掃目的のために近接可能である。さらに、電極を備えた両接続部を壁部分を介して結合することにより注型樹脂の堆積が回避され、その製造中の冷却の際に空洞が形成されることがない。材料の消費は場合によっては壁部分に窓状の貫通孔を設けることによってさらに削減することができる。この発明による絶縁体を特別な誘電状態に適合させるために、注型樹脂体は、また、両壁部分の範囲に外側及び／又は内側のリブを備えるか、両接続面に対して平行に延びる中間壁を備えることができる。
【００１０】
この発明により形成された絶縁体は支持機能を充分に果たすと同時にまた回転トルクの伝達にも役立つ。この絶縁体は密閉形装置内でもまた空気中でも使用することができる。
【００１１】
【発明の実施の形態】
この発明による絶縁体の４つの実施例を図１乃至６について説明する。図１乃至３はこの発明による絶縁体の第一の実施例をそれぞれ縦断面、横断面及び平面で示し、図４は壁部分にリブを配置した第二の実施例を、図５は壁部分に中間壁を配置した第三の絶縁体を、図６は壁部分に窓を配置した第四の実施例を、それぞれ縦断面で示す。
【００１２】
図１乃至３は、注型樹脂体２と上部の接続具３並びに下部の接続具４とからなる絶縁体１をそれぞれ異なる面で示す。この注型樹脂体２は丸みを備えたほぼ直方体状の輪郭を持ち、上部の接続部１０と、下部の接続部１１と、側面側に互いに対向して配置されている２つの壁部分１２、１３からなる中間部とに区分されている。両接続具３、４は回転対称に形成され、先ず上部及び下部の接続面２３、２４を、さらに平らな円蓋の形でそれぞれ１つの電極２５、２６を形成している。各接続具は注型樹脂体のそれぞれの接続部に面一となるように埋め込まれている。２つの壁部分１２、１３から形成された中間部により、電極として作用する接続具３、４間の絶縁体の中心部にガス空間５が形成されている。
【００１３】
図４による絶縁体においては、壁部分１４、１５の範囲にそれぞれ１つの外側のリブ１６並びに内側のリブ１７が設けられ、異なる電位にある両接続具の間の沿面距離を延長している。
【００１４】
図５による絶縁体においては、両壁部分１９、２０間に水平の中間壁１８が設けられている。
【００１５】
図６による絶縁体においては、側面側に配置された壁部分２１に窓状の貫通孔２２が設けられている。
【図面の簡単な説明】
【図１】この発明による絶縁体の第一の実施例の縦断面図。
【図２】この発明による絶縁体の第一の実施例の横断面図。
【図３】この発明による絶縁体の第一の実施例の平面図。
【図４】この発明による絶縁体の、壁部分にリブを配置した第二の実施例の縦断面図。
【図５】この発明による絶縁体の、壁部分に中間壁を配置した第三の実施例の縦断面図。
【図６】この発明による絶縁体の、壁部分に窓を配置した第四の実施例の縦断面図。
【符号の説明】
１                  絶縁体
２                  注型樹脂体
３                  上部の接続具
４                  下部の接続具
５                  ガス空間
１０                上部の接続部
１１                下部の接続部
１２                壁部分
１３                壁部分
１４                壁部分
１５                壁部分
１６                外側のリブ
１７                内側のリブ
１８                中間壁
１９                壁部分
２０                壁部分
２１                壁部分
２２                窓状の貫通孔
２３                上部の接続面
２４                下部の接続面
２５                電極
２６                電極
【図１】
0004531893.tif 000002
【図２】
0004531893.tif 000003
【図３】
0004531893.tif 000004
【図４】
0004531893.tif 000005
【図５】
0004531893.tif 000006
【図６】
0004531893.tif 000007